【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
複数の光電変換素子をライン状に配列した第１の画像読み取り素子アレイと、
前記第１の画像読み取り素子アレイと平行して複数の光電変換素子をライン状に配列した第２の画像読み取り素子アレイと、
第１の焦点位置にある第１の原稿画像を前記第１列の画像読み取り素子アレイ上に結像させる第１のレンズと、
前記第１のレンズとは共役長が異なり、前記第１の焦点位置と異なる第２の焦点位置にある第２の原稿画像を前記第２列の画像読み取り素子アレイ上に結像させる第２のレンズと、
を備えたことを特徴とする画像読取ユニット。
【請求項２】
前記第２のレンズの共役長は、前記第１のレンズの共役長よりも長いことを特徴とする請求項１に記載の画像読取ユニット。
【請求項３】
前記第２の画像読み取り素子アレイは、前記第１の画像読み取り素子アレイよりも高解像度であることを特徴とする請求項１又は２に記載の画像読取ユニット。
【請求項４】
前記第１及び第２の画像読み取り素子アレイは、同一の基板上に設けられたことを特徴とする請求項１乃至３のいずれか１項に記載の画像読取ユニット。
【請求項５】
複数の光電変換素子をライン状に配列した第１の画像読み取り素子アレイと、
複数の光電変換素子がライン状に配列され、前記第１の画像読み取り素子アレイよりも高解像度な第２の画像読み取り素子アレイと、
第１の焦点位置にある第１の原稿画像を前記第１列の画像読み取り素子アレイ上に結像させる第１のレンズと、
前記第１の焦点位置と異なる第２の焦点位置にある第２の原稿画像を前記第２列の画像読み取り素子アレイ上に結像させる第２のレンズと、
を備えたことを特徴とする画像読取ユニット。
【請求項６】
前記第２の画像読み取り素子アレイは、前記第１の画像読み取り素子アレイと平行して配列されることを特徴とする請求項５に記載の画像読取ユニット。
【請求項７】
前記第１の画像読み取り素子アレイは第１の部材上に配置され、前記第２の画像読み取り素子アレイは前記第１の部材と異なる第２の部材上に配置されることを特徴とする請求項５又は６に記載の画像読取ユニット。
【請求項８】
前記第１の画像読み取り素子アレイは、前記第２の画像読み取り素子アレイと異なる高さ位置に配置されることを特徴とする請求項５乃至７のいずれか１項に記載の画像読取ユニット。
【請求項９】
前記第１及び第２の画像読み取り素子アレイは、同一の基板上に設けられたことを特徴とする請求項５又は６に記載の画像読取ユニット。
【請求項１０】
前記第１の原稿画像は反射原稿画像であり、前記第２の原稿画像は透過原稿画像であることを特徴とする請求項１乃至９のいずれかに記載の画像読取ユニット。
【請求項１１】
前記第２の画像読み取り素子アレイは、前記第１の画像読み取り素子アレイよりも有効読み取り幅が短いことを特徴とする請求項１乃至１０のいずれか１項に記載の画像読取ユニット。
【請求項１２】
前記第２のレンズは、前記第１のレンズよりも有効結像範囲が狭いことを特徴とする請求項１１に記載の画像読取ユニット。
【請求項１３】
前記第１及び第２のレンズは、ロッドレンズアレイを含むことを特徴とする請求項１乃至１２のいずれか１項に記載の画像読取ユニット。
【請求項１４】
前記請求項１乃至１３のいずれか１項に記載された画像読取ユニットと、前記画像読取ユニットと前記第１の原稿画像又は前記第２の原稿画像とを相対的に移動させる移動ユニットとを有することを特徴とする画像読取装置。
【請求項１５】
さらに原稿が載置される原稿台を有し、第１の原稿は前記原稿台上に直接載置され、第２の原稿は所定のホルダに格納された状態で前記原稿台上の所定位置に載置されることを特徴とする請求項１４に記載の画像読取装置。
【請求項１６】
さらに、前記第１の原稿画像を照明する第１の照明手段と、前記第２の原稿画像を照明する第２の照明手段とを備えたことを特徴とする請求項１４又は１５に記載の画像読取装置。
【請求項１７】
光を反射する反射原稿の反射光を集光する第１のレンズと、
前記第１のレンズにより集光された反射光に基づいて前記反射原稿の画像を読み取る第１の画像読み取り素子アレイと、
光を透過する透過原稿の透過光を集光する第２のレンズと、
前記第２のレンズにより集光された透過光に基づいて前記透過原稿の画像を読み取る第２の画像読み取り素子アレイとを備え、
前記第１の画像読み取り素子アレイを前記第２の画像読取素子アレイと異なる高さ位置に配置したことを特徴とする画像読取ユニット。
【請求項１８】
光を反射する反射原稿の反射光を集光する第１のレンズと、
前記第１のレンズにより集光された反射光に基づいて前記反射原稿の画像を読み取る第１の画像読み取り素子アレイと、
光を透過する透過原稿の透過光を集光する第２のレンズと、
前記第２のレンズにより集光された透過光に基づいて前記透過原稿の画像を読み取る第２の画像読み取り素子アレイとを備え、
前記第１の画像読み取り素子アレイは第１の部材上に配置され、前記第２の画像読み取り素子アレイは前記第１の部材と異なる第２の部材上に配置されることを特徴とする画像読取ユニット。
【請求項１９】
前記第２の画像読み取り素子アレイは、前記第１の画像読み取り素子アレイよりも有効読み取り幅が短いことを特徴とする請求項１７又は１８に記載の画像読取ユニット。
【請求項２０】
前記第２のレンズは、前記第１のレンズよりも有効結像範囲が狭いことを特徴とする請求項１９に記載の画像読取ユニット。
【請求項２１】
前記第１及び第２のレンズは、ロッドレンズアレイを含むことを特徴とする請求項１７乃至１９のいずれか１項に記載の画像読取ユニット。
【請求項２２】
前記請求項１７乃至２１のいずれか１項に記載された画像読取ユニットと、前記画像読取ユニットと前記反射原稿画像又は前記透過原稿画像とを相対的に移動させる移動ユニットとを有することを特徴とする画像読取装置。
【請求項２３】
さらに原稿が載置される原稿台を有し、前記反射原稿は前記原稿台上に直接載置され、前記透過原稿は所定のホルダに格納された状態で前記原稿台上の所定位置に載置されることを特徴とする請求項２２に記載の画像読取装置。
【請求項２４】
さらに、前記反射原稿画像を照明する第１の照明手段と、前記透過原稿画像を照明する第２の照明手段とを備えたことを特徴とする請求項２２又は２３に記載の画像読取装置。
【手続補正２】
【補正対象書類名】明細書
【補正対象項目名】０００６
【補正方法】変更
【補正の内容】
【０００６】
【課題を解決するための手段】
本発明の請求項１に記載の画像読取ユニットは、複数の光電変換素子をライン状に配列した第１の画像読み取り素子アレイと、前記第１の画像読み取り素子アレイと平行して複数の光電変換素子をライン状に配列した第２の画像読み取り素子アレイと、第１の焦点位置にある第１の原稿画像を前記第１列の画像読み取り素子アレイ上に結像させる第１のレンズと、前記第１のレンズとは共役長が異なり、前記第１の焦点位置と異なる第２の焦点位置にある第２の原稿画像を前記第２列の画像読み取り素子アレイ上に結像させる第２のレンズと、を備えたことを特徴とする。
請求項５に記載の画像読取ユニットは、複数の光電変換素子をライン状に配列した第１の画像読み取り素子アレイと、複数の光電変換素子がライン状に配列され、前記第１の画像読み取り素子アレイよりも高解像度な第２の画像読み取り素子アレイと、第１の焦点位置にある第１の原稿画像を前記第１列の画像読み取り素子アレイ上に結像させる第１のレンズと、前記第１の焦点位置と異なる第２の焦点位置にある第２の原稿画像を前記第２列の画像読み取り素子アレイ上に結像させる第２のレンズと、を備えたことを特徴とする。
【手続補正３】
【補正対象書類名】明細書
【補正対象項目名】０００７
【補正方法】変更
【補正の内容】
【０００７】
また、請求項１７に記載の画像読取ユニットは、光を反射する反射原稿の反射光を集光する第１のレンズと、前記第１のレンズにより集光された反射光に基づいて前記反射原稿の画像を読み取る第１の画像読み取り素子アレイと、光を透過する透過原稿の透過光を集光する第２のレンズと、前記第２のレンズにより集光された透過光に基づいて前記透過原稿の画像を読み取る第２の画像読み取り素子アレイとを備え、前記第１の画像読み取り素子アレイを前記第２の画像読取素子アレイと異なる高さ位置に配置したことを特徴とする。
請求項１８に記載の画像読取ユニットは、光を反射する反射原稿の反射光を集光する第１のレンズと、前記第１のレンズにより集光された反射光に基づいて前記反射原稿の画像を読み取る第１の画像読み取り素子アレイと、光を透過する透過原稿の透過光を集光する第２のレンズと、前記第２のレンズにより集光された透過光に基づいて前記透過原稿の画像を読み取る第２の画像読み取り素子アレイとを備え、前記第１の画像読み取り素子アレイは第１の部材上に配置され、前記第２の画像読み取り素子アレイは前記第１の部材と異なる第２の部材上に配置されることを特徴とする。